(57)【要約】【課題】  パネル同士を簡単な操作で連結でき、パネル間の隙間をなくして連結できる、パネルの連結構造を提供する。【解決手段】  パネル連結構造は、第１パネル３に固着される第１固着具１と、第２パネル５に固着される第２固着具２とを包含し、第１固着具１は、フランジ６及びフランジ６を越えて延びるマンドレル１０から成るブラインドリベット１１と、フランジ６からマンドレル側に延びるクリップ１３とから成り、第１固着具１はフランジ６とスリーブ拡膨部分３０とによって第１パネル３に固着され、第１パネルに固着されたクリップ１３には第１パネル面から突出する係止部１９があり、第２固着具２は、中央にクリップの係止部を受入れる受入穴が形成された平坦な板状体で形成され、その受入穴には係止部１９に係合する係合爪２５が設けられ、第２固着具２には第２パネルの取付穴に係合する係止脚２６が設けられている。【選択図】          図６
2005231786.tif 000002
【特許請求の範囲】
【請求項１】
第１のパネルに固着される第１固着具と、第２のパネルに固着される第２の固着具とを包含し、前記第１固着具と第２固着具を連結することによって前記第１及び第２パネルを相互に連結するパネル連結構造において、
前記第１固着具は、フランジ及びスリーブで成るリベット本体と前記スリーブから前記フランジを越えて延び前記スリーブを拡膨するためのマンドレルとから成るブラインドリベットと、前記リベット本体のフランジに係合し該フランジから前記マンドレル側に延びるクリップとから成り、前記ブラインドリベットは前記フランジと前記スリーブの拡膨部分とによって前記第１パネルに固着され、前記クリップは前記フランジと前記第１パネルとの間に挟着されて第１パネルに固着され、該クリップには第１パネル面から突出する係止部が形成されており、
前記第２固着具は、平坦な板状体で形成され、中央には前記クリップの係止部を受入れる受入穴が形成され、該第２固着具の縁部には前記第２パネルの取付穴に挿入して係合する係止脚が設けられ、前記受入穴には前記クリップの係止部に係合する係合手段が設けられており、
前記第２固着具の受入穴に前記クリップの係止部を受入れて前記係合手段を前記クリップ係止部に係合することによって、前記第１パネルと前記第２パネルを相互に連結する
ことを特徴とするパネル連結構造。
【請求項２】
請求項１に記載のパネル連結構造において、前記第２固着具には、前記受入穴に続く穴が形成され、該穴は前記クリップ係止部が抜け出す大きさに形成された取外し穴であり、前記クリップ係止部を受入穴の係合手段から前記取外し穴へスライドすると係合手段との係合が外れて第１固着具と第２固着具の連結が外れることを特徴とするパネル連結構造。
【請求項３】
請求項１又は２に記載のパネル連結構造において、第１パネルには、第２パネルに固着された第２固着具の係止脚が貫通する逃げ穴が形成されて、第２固着具の受入穴に前記クリップを受入れたとき、前記係止脚が前記逃げ穴に挿入されて第２パネルが第１パネルに隙間なく接合されることを特徴とするパネル連結構造。
【請求項４】
第１パネルと第２パネルを相互に連結するため、前記第１パネルに固着される第１固着具と、前記第２パネルに固着される第２の固着具とを包含する、パネル連結用固着装置において、
前記第１固着具は、フランジ及びスリーブで成るリベット本体と前記スリーブから前記フランジを越えて延び前記スリーブを拡膨するためのマンドレルとから成るブラインドリベットと、前記リベット本体のフランジに係合し該フランジから前記マンドレル側に延びるクリップとから成り、前記ブラインドリベットは前記フランジと前記スリーブの拡膨部分とによって前記第１パネルに固着するように構成され、前記クリップには前記フランジからマンドレル側に突出する係止部が形成されており、
前記第２固着具は、平坦な板状体で形成され、中央には前記クリップの係止部を受入れる受入穴が形成され、該第２固着具の縁部には前記第２パネルの取付穴に挿入して係合する係止脚が設けられ、前記受入穴には前記クリップの係止部に係合する係合手段が設けられており、前記第２固着具の受入穴に前記クリップの係止部を受入れて前記係合手段を前記クリップ係止部に係合すると前記第２固着具が前記クリップに連結される
ことを特徴とするパネル連結用固着装置。
【発明の詳細な説明】
【技術分野】
【０００１】
本発明は、２つのパネルを相互に連結する構造に関し、特に、第１のパネルに固着される第１固着具と、第２のパネルに固着される第２の固着具とを包含し、第１固着具と第２固着具を連結することによって第１パネル及び第２パネルを相互に連結するパネル連結構造に関する。
【背景技術】
【０００２】
特開平７−００２４６９号公報（特許文献１）には、個人住宅用エレベータのパネルの取付けに用いる、パネル連結構造を示している。第１のパネルに頭付きピンを固着し、第２のパネルに前記ピンを受入れて頭部分に係合する中空のスリーブを固着して、ピンをスリーブに挿入して連結することによって、第１パネルと第２パネルを相互に連結する。これは、エレベータのパネルを現地で組付ける場合に隙間が狭くても作業でき、作業エレベータかごの内側からだけで作業でき、組付作業が向上している。別のエレベータのパネル連結具が、特開平８−３１０７７４号公報（特許文献２）に開示されている。このパネル連結具は、１本の棒状の係合突起部材で形成されて、筒状の前半部分が一方のパネルに固着され、首部付きの大径の後半部分がそのパネルから突出した状態にされる。他方のパネルには後半部分より大きな穴とそれより小さく首部に係合する穴とが連続するキー穴が形成され、大穴部分に連結具の後半部分を受入れてパネルをスライドして小穴部分に後半部分を移動させることで、両パネルを連結する。この連結具もエレベータの室内パネルを現地で組付ける場合に隙間が狭くても作業でき、内側からだけで作業を可能にする。
【０００３】
特開平１１−０２０５６８号公報（特許文献３）には、自動車の車体にモールを固定する連結具が開示されている。この連結具は、フランジ及びスリーブから成るリベット本体とスリーブからフランジを越えて延びスリーブを拡膨するためのマンドレルとから成るブラインドリベットと、リベット本体のフランジに係合しフランジからマンドレル側に延びるクリップとから成る。連結具のブラインドリベットはフランジとスリーブの拡膨部分とによって車体に固着され、これによって、クリップがフランジと車体との間に挟着されて車体に固着され、クリップには車体から突出する係止部が形成されていて、この係止部にモールが取付けられる。特開昭５７−０２２９３０号公報（特許文献４）には、車のドアに取っ手アームレストを取付ける連結構造が開示されている。取っ手アームレストにはピンが突出するように形成され、ドアパネルには、ピンに係止する弾性係止爪が形成されたクリップが固着され、クリップへピンを挿入すると、ドアに取っ手アームレストが取付けられる。実公昭４２−１５８３６号公報（特許文献５）には、壁に固定したボルトの頭部を利用した扇風機の取付構造が開示されている。扇風機を支持する支持体の壁当接板部分に、特許文献２のようなキー穴を形成して、そのキー穴の大穴にボルト頭部を受入れ、扇風機支持体をスライドして小穴部分に頭部を移動させることで、壁に扇風機を取付ける。
【０００４】
【特許文献１】特開平７−００２４６９号公報
【特許文献２】特開平８−３１０７７４号公報
【特許文献３】特開平１１−０２０５６８号公報
【特許文献４】特開昭５７−０２２９３０号公報
【特許文献５】実公昭４２−１５８３６号公報
【発明の開示】
【発明が解決しようとする課題】
【０００５】
特許文献１に記載のパネル連結構造は、ピンへスリーブを押込むだけの簡単な操作で連結でき、エレベータのかご内での作業であっても容易にできる利点がある。しかし、スリーブがパネル面より突出して固着されるので、ピンが固着した第１パネルとスリーブが固着した第２パネルとの間に隙間が形成され、両パネルを隙間なく連結するのには適していない。特許文献２に記載の連結具は、２つのパネルを隙間なく連結するのには適しているが、一方のパネルの係合突起部材に対して他方のパネルのキー穴の大穴を位置決めしてその突起部材を受入れ、更に、一方のパネルに対して他方のパネルをスライドしてキー穴の小穴に突起部材の首部を係合する操作を必要とし、狭いエレベータかご内での作業をやや困難にしている。特許文献３に記載の連結具は、車体へモールを連結するには適しているが、パネル同士の連結のために作られていないので、パネルの連結には適していない。また、特許文献４には、パネル同士の連結を示す記載や示唆はなく、特許文献５は単にボルトの突出頭部に支持部を引っ掛けて連結することを示すだけであり、パネル同士の連結を示唆するものではない。
【０００６】
従って、本発明の目的は、パネル同士を簡単な操作で連結でき、パネル間の隙間をなくして連結できる、パネルの連結構造を提供することにある。
【課題を解決するための手段】
【０００７】
上記目的を達成するため、本発明は、第１のパネルに固着される第１固着具と、第２のパネルに固着される第２の固着具とを包含し、第１固着具と第２固着具を連結することによって第１及び第２パネルを相互に連結するパネル連結構造であって、第１固着具は、フランジ及びスリーブで成るリベット本体とスリーブからフランジを越えて延びスリーブを拡膨するためのマンドレルとから成るブラインドリベットと、リベット本体のフランジに係合しフランジからマンドレル側に延びるクリップとから成り、ブラインドリベットはフランジとスリーブの拡膨部分とによって第１パネルに固着され、クリップはフランジと第１パネルとの間に挟着されて第１パネルに固着され、クリップには第１パネル面から突出する係止部が形成されており、第２固着具は、平坦な板状体で形成され、中央にはクリップの係止部を受入れる受入穴が形成され、第２固着具の縁部には第２パネルの取付穴に挿入して係合する係止脚が設けられ、受入穴にはクリップの係止部に係合する係合手段が設けられており、第２固着具の受入穴にクリップの係止部を受入れて係合手段をクリップ係止部に係合することによって、第１パネルと第２パネルを相互に連結することを特徴とするパネル連結構造を提供する。
【０００８】
上記のパネル連結構造によれば、第１パネルに第１固着具のクリップが固着され、第２パネルに平板形状の第２固着具が固着されているので、クリップに第２固着具を押込むだけの簡単な操作で連結でき、しかも、第１パネルと第２パネルの間の隙間をなくして両パネルを密着させることができる。
【０００９】
上記連結構造において、第２固着具には、受入穴に続く穴が形成されて、穴はクリップ係止部が抜け出す大きさに形成された取外し穴であり、クリップ係止部を受入穴の係合手段から取外し穴へスライドすると係合手段との係合が外れて、第１固着具と第２固着具の連結を外すことができる。また、第１パネルには、第２パネルに固着された第２固着具の係止脚が貫通する逃げ穴が形成されるのが好ましく、第２固着具の受入穴にクリップを受入れたとき、係止脚が逃げ穴に挿入されて第２パネルが第１パネルに隙間なく接合されるのを確実にする。
【００１０】
本発明においては、第１パネルと第２パネルを相互に連結するため、第１パネルに固着される第１固着具と、第２パネルに固着される第２の固着具とを包含する、パネル連結用固着装置が提供される。この固着装置では、第１固着具は、フランジ及びスリーブで成るリベット本体とスリーブからフランジを越えて延びスリーブを拡膨するためのマンドレルとから成るブラインドリベットと、リベット本体のフランジに係合しフランジからマンドレル側に延びるクリップとから成り、ブラインドリベットはフランジとスリーブの拡膨部分とによって第１パネルに固着するように構成され、クリップにはフランジからマンドレル側に突出する係止部が形成されており、第２固着具は、平坦な板状体で形成され、中央にはクリップの係止部を受入れる受入穴が形成され、第２固着具の縁部には第２パネルの取付穴に挿入して係合する係止脚が設けられ、受入穴にはクリップの係止部に係合する係合手段が設けられており、これにより、第２固着具の受入穴にクリップの係止部を受入れて係合手段をクリップ係止部に係合すると第２固着具がクリップに連結される。かかる固着装置によって、第１パネルに第１固着具のクリップを固着し、第２パネルに平板形状の第２固着具を固着すれば、クリップに第２固着具を押込むだけの簡単な操作で第１パネルと第２パネルを相互に連結でき、しかも、第１パネルと第２パネルの間の隙間をなくして両パネルを密着させることができる。
【発明を実施するための最良の形態】
【００１１】
以下図面を参照して、本発明の１実施形態に係るパネル連結用固着装置及びパネル連結構造を説明する。図１は、パネル連結用固着装置の第１固着具１を示し、図２〜図４は、パネル連結固着装置の第２固着具２を示している。図５及び図６は、第１固着具１が第１パネル３に固着され、第２固着具２が第２パネル５に固着された、パネルの連結前のパネル連結構造を示している。図７及び図８は、パネルが相互に連結された後のパネル連結構造を示している。第１パネル３及び第２パネル５は、例えば、エレベータのかご室内側の鋼板製の側板や枠等を形成するパネルである。
【００１２】
図１において、第１固着具１は、フランジ６及びスリーブ７で成る金属製のリベット本体９とスリーブ７からフランジ６を越えて延びスリーブ７を部分的に拡膨するための金属製のマンドレル１０とから成るブラインドリベット１１と、リベット本体９のフランジ６に隣接するスリーブ７の部分及びフランジ６を包囲してフランジ６に係合し、更にフランジ６の外周側からフランジ６を越えてマンドレル１０の先端側に円筒形状に延びる、合成樹脂製のクリップ１３とから成る。
【００１３】
ブラインドリベット１１は、特許文献３にも示されるように、よく知られており、マンドレル１０には、スリーブ７隣接する端部側に拡径頭部１４が形成されている。また、マンドレル１０には、頭部１４とフランジ６との間の部分に破断可能な小径部分１５が形成されている。更に、マンドレル１０の先端は、フランジ６から外側に突出しており、この突出部分が、締結工具（図示せず）のノーズに保持される。ブラインドリベット１１のマンドレル１０の先端部分を締結工具に保持させ、パネル穴にマンドレル頭部１４を先頭にしてスリーブ７をフランジ６が接面するまで挿入し、マンドレル１０を小径部分１５で破断する程に、締結工具によって強く引っ張る。この引っ張りによって、マンドレル１０の拡径頭部１４がスリーブ７の一部を拡径するように変形させ、拡径スリーブ部分とフランジ６とによりパネルに強固に固定することができる。小径部分１５で破断したマンドレル１０の先端側部分は、締結工具のノーズを通して工具の後方に排出される。なお、スリーブ７の変形の開始位置を定め且つ変形を容易にするため、スリーブ７の外周面に周溝１７を１本又は複数本設けるのが好ましい。
【００１４】
ブラインドリベット１１にはクリップ１３が組付けられて第１固着具１を構成する。クリップ１３は、リベット本体９のフランジ６に隣接するスリーブ７の部分及びフランジ６に係合する基部１８と、基部１８からフランジ６を包囲するようにフランジ６を越えてマンドレル１０の先端側に円筒形状に延びる係止部１９とから成る。基部１８は、ブラインドリベット１１がフランジ６と拡膨したスリーブ部分とによって第１パネル３に固着されると、フランジ６と第１パネル３との間に挟着されて第１パネル３に固着され、クリップ１３を第１パネルに固着する。パネルへの固着後、円筒の係止部１９は第１パネル３の面から突出する。係止部１９には、第２固着具２に係止する係止肩２１が形成され、第２固着具２の係合手段に係合する。係止部１９の先端部分は第２固着具２の取付穴への挿入が容易なように先細に形成されている。クリップ１３は、金属製であってもよいが、合成樹脂によって一体成形するのが好ましく、安価に生産できる。
【００１５】
第２固着具２について、図２〜図４を参照して説明する。第２固着具２は、第２パネル５に固着されるもので、第２パネル５からできるだけ出っ張らないように、図３の正面図に示すように、全体的には平坦な薄い板状体で形成される。このように、平板状に形成されるため、第２固着具２は、合成樹脂の一体成形品でもよいが、強度の点において、金属製であるのが好ましい。図２及び図３に示すように、第２固着具２は、ほぼ矩形の平板形状に形成され、中央には、クリップ１３の係止部１９を受入れる受入穴２２とそれに続く取外し穴２３とが形成されている。受入穴２２には、対向する縁部に受入れた係止部１９の係止肩２１に係合する係合手段として、一対の係合爪２５、２５が形成されている。各係合爪２５は、図４に示すように上方に且つ内側に向けて傾斜して形成され、係止部１９が挿入されると外側に撓み、係止肩２１が通り抜けると内側に戻る弾性を有する。係止肩２１が通り抜けて係合爪２５の上端が係止肩２１に係合することによって、クリップ１３（ひいては第１固着具１）と第２固着具２とが相互に固着される。受入穴２２に続く取外し穴２３は、係止部１９が抜け出す大きさに形成されており、係合爪２５も取外し穴２３にはない。クリップ１３の係止部１９を受入穴２２の係合爪２５の位置から取外し穴２３の位置へスライドすると、係止部１９の係止肩２１と係合爪２５との係合が外れて、係止部１９が取外し穴２３から抜け出ることができ、それによって、第１固着具１と第２固着具２の連結を外すことができる。
【００１６】
第２固着具２の長手方向の両端の縁部には、第２パネル５の取付穴に挿入されて取付穴の縁部に係合する係止脚２６が、平板部分から垂直に延びるように設けられている。係止脚２６には、根元部分に、第２パネルの取付穴を抜け出た後、そのパネル背面に係合する爪２７が形成されている。係止脚２６によって、第２固着具２を第２パネル５に固着できる。第２固着具２の長手方向の両端の縁部には、係止脚２６の爪２７が第２パネル５の取付穴の縁部との係合を強化するため、弾性押さえ片２９が一対ずつ設けられている。各対の弾性押さえ片２９は、係止脚２６を間にして設けられ、第２パネル５の取付穴に延びる係止脚２６を第２パネル側に引き寄せて、取付穴縁部に係合した爪２７の係合力を強化する。
【００１７】
第１固着具１と第２固着具２とから成るパネル連結装置を用いて、第１パネル３と第２パネル５を連結するパネル連結構造を図５及び図６を参照して説明する。図５の（Ａ）に示すように、第１パネル３には第１固着具１が固着される。マンドレル１０の先端部分がブラインドリベット締結工具（図示せず）のノーズに保持され、締結工具に第１固着具１が保持され、第１パネル３の取付穴に、ブラインドリベット１１のスリーブ７が挿入されて、クリップ１３の基部１８が第１パネル３に接面するまで押込まれる。締結工具のトリガを引いて締結工具を動作させると、締結工具に保持されたマンドレル１０が、引き抜き方向に引っ張られる。締結工具によってマンドレル１０が小径部分１５（図１参照）で破断する程に強く引っ張られると、マンドレル１０の拡径頭部１４がスリーブ７の一部を拡膨するように変形させ、破断されたマンドレル部分は締結工具のノーズを通って工具から排出される。ブラインドリベット１１は、スリーブ７の拡膨部分３０とフランジ６とによって、クリップ１３の基部１８を間に挟んだ状態で、第１パネル３に固定される。スリーブ７の塑性変形によって得られた拡膨部分３０はフランジ６と協働して強力な固定力を発揮し、クリップ１３は、フランジ６と第１パネル３の間に基部１８が挟着されるので、第１パネル３に強固に固着される。図５（Ａ）はその固着状態を示している。クリップ１３は、係止部１９が第１パネル３の面から突出した状態で第１パネル３に固着される。
【００１８】
第２固着具２は、図５の（Ｂ）に図示のように、第２パネル５に固着される。その固着は、係止脚２６を第２パネル５の取付穴に挿入するだけで得られる。第２パネル５の矩形の取付穴の長手方向に対向する２つの縁部に、一対の係止脚２６を合わせてそのまま押込むと係止脚２６が取付穴から反対面に出て、第２固着具２の平板部分が第２パネル５に接面する位置に至ると、係止脚２６の爪２７が取付穴の縁部に係合する。そのとき、弾性押さえ片３０がそれぞれ第２パネル５を弾性的に押さえて係止脚２６を抜き方向に引き抜こうとし、その力が爪２７に作用して係合力が強固になる。これによって、第２パネル５に第２固着具２が固着される。
【００１９】
図６は、図５の各図に直交する方向から見た図である。かかる図６において、第１パネル３に第２パネル５を連結するには、第１固着具１のクリップ１３の係止部１９を、第２固着具２の受入穴２２に受入れるように、第２パネル５を第１パネル３に位置決めし、例えば、矢印３１の方向に第２パネル５を第１パネル３に接近するように押込めばよい。これによって、係止部１９が受入穴２２を貫通し、係止部１９が係合爪２５を外側へ撓めつつ、係止肩２１の部分が係合爪２５乗り越える。係合爪２５が元の姿勢に復帰して、係止肩２１に係合し、第２固着具２が第１固着具１に連結される。なお、第１パネル３には、第２パネル５に固着された第２固着具２の係止脚２６が貫通する逃げ穴３３が形成されている。第２固着具２の受入穴２２にクリップ１３の係止部１９を受入れると、係止脚２６が逃げ穴３３に挿入されて第２パネル５が第１パネル３に隙間なく接合されて、密着できる。
【００２０】
図７及び図８は、連結後の様子を示している。図７は、図５の向きに対応しており、図８は図６の向きに対応している。図７及び図８の図から明らかなように、第１パネル３と第２パネル５とは、間に隙間なく密着して連結させられている。これは、第１パネル３には第１固着具１のクリップ１３が必要最小限の高さをもって固着され、第２パネル５には平板形状の第２固着具２が固着されているからである。また、第２固着具２の係止脚２６の出っ張りを逃がす逃げ穴３３が第１パネル３に形成されており第１パネル３と第２パネル５との密着を助けている。第１パネル３と第２パネル５との連結の力は、第１固着具１が第１パネル３に強固に固着され、第２固着具２が第２パネル５に確実に固着されているので、強固であり、長く維持される。
【００２１】
連結された第１パネル３と第２パネル５の連結を外すには、例えば、図８において、第２パネル５をもって第１パネル３に対して下方に移動させて、クリップ１３を第２固着具２の受入穴２２の位置から取外し穴２３の位置に移動させればよい。これによって、クリップ係止部１９が受入穴の係合爪２５の係合から外れ、第１固着具１と第２固着具２の連結を外すことができ、それによって、第１パネル３と第２パネル５の連結を外すことができる。
【図面の簡単な説明】
【００２２】
【図１】本発明のパネル連結装置の１実施形態に係る第１固着具の一部断面した正面図である。
【図２】本発明のパネル連結装置の１実施形態に係る第２固着具の平面図である。
【図３】図２の第２固着具の正面図である。
【図４】図２の第２固着具の側面図である。
【図５】本発明の１実施形態に係るパネル連結装置を用いたパネル連結構造を示す図であり、（Ａ）は、第１固着具を第１パネルに固着した側面図、（Ｂ）は第２固着具を第２パネルに固着した側面図である。
【図６】図５の第１固着具付き第１パネルを第２固着具付き第２パネルに連結する前の状態を示す、正面図である。
【図７】第１パネルと第２パネルを連結した後の側面図である。
【図８】第１パネルと第２パネルを連結した後の正面図である。
【符号の説明】
【００２３】
１  第１固着具
２  第２固着具
３  第１パネル
５  第２パネル
６  フランジ
７  スリーブ
９  リベット本体
１０  マンドレル
１１  ブラインドリベット
１３  クリップ
１４  拡径頭部
１５  小径部分
１７  周溝
１８  基部
１９  係止部
２１  係止肩
２２  受入穴
２３  取外し穴
２５  係合爪
２６  係止脚
２７  爪
２９  弾性押さえ片
３０  拡膨部分
３３  逃げ穴
【図１】
2005231786.tif 000003
【図２】
2005231786.tif 000004
【図３】
2005231786.tif 000005
【図４】
2005231786.tif 000006
【図５】
2005231786.tif 000007
【図６】
2005231786.tif 000008
【図７】
2005231786.tif 000009
【図８】
2005231786.tif 000010